(57)【特許請求の範囲】
【請求項１】
送信すべき電気信号を光信号に変換し、その変換した光信号を光伝送路を介して異なる複数の送信モードで送信する光送信部と、
前記光伝送路を介して前記光送信部から送信された前記光信号を受信し、その受信した光信号を電気信号に変換して出力する光受信部と、
前記光受信部により前記光信号が受信されたことを検出する検出部と、
前記検出部による検出結果に基づいて、前記光送信部の前記送信モードを切り替える切替部とを備え、
前記光送信部が光信号を送信する際の前記異なる複数の送信モードは、光信号を連続的に送信する連続モードと、光信号を間欠的に送信する間欠モードとを含み、
前記切替部は、前記検出部により前記光信号の受信が検出されなかったとき、前記送信モードを間欠モードに切り替え、前記検出部により前記光信号の受信が検出されたとき、前記送信モードを連続モードに切り替えるものであり、
前記光送信部が間欠モードで送信する光信号は、「ＩＥＣ ６０８２５−１」又は「ＪＩＳ Ｃ ６８０２」の所定のクラスの安全基準を満たす所定の発光時間及び所定の周期時間で発光が繰り返し行われたパルス信号であって、前記所定の発光時間は、前記光送信部からの問い合わせ要求の周期より短い時間である信号伝送装置。
【発明の詳細な説明】
【技術分野】
【０００１】
本発明は、信号伝送装置に関する。
【背景技術】
【０００２】
従来、入射された信号光の有無に基づいて、待機状態から通常状態に復帰する光増幅中継器が知られている（例えば、特許文献１参照。）。
【０００３】
この光増幅中継器によれば、入射された信号光を増幅して出力光を得る光増幅手段と、入射された信号光の有無を検出した結果に応じて、制御信号を出力する信号光制御手段と、信号光制御手段により出力された制御信号に従って光増幅手段の動作を停止させて待機状態にする待機手段とを備え、信号光制御手段により入射された信号光が無いことを検出したとき、待機手段により光増幅手段の動作を停止させることができる。
【特許文献１】特開平７−１５４３２９号公報
【発明の開示】
【発明が解決しようとする課題】
【０００４】
本発明の目的は、光受信部での光信号の検出結果に基づいて、光送信部における光信号の送信モードを切り替えることができる信号伝送装置を提供することにある。
【課題を解決するための手段】
【０００５】
本発明の一態様は、上記目的を達成するため、以下の信号伝送装置を提供する。
【０００６】
［１］送信すべき電気信号を光信号に変換し、その変換した光信号を光伝送路を介して異なる複数の送信モードで送信する光送信部と、前記光伝送路を介して前記光送信部から送信された前記光信号を受信し、その受信した光信号を電気信号に変換して出力する光受信部と、前記光受信部により前記光信号が受信されたことを検出する検出部と、前記検出部による検出結果に基づいて、前記光送信部の前記送信モードを切り替える切替部とを備え、前記光送信部が光信号を送信する際の前記異なる複数の送信モードは、光信号を連続的に送信する連続モードと、光信号を間欠的に送信する間欠モードとを含み、前記切替部は、前記検出部により前記光信号の受信が検出されなかったとき、前記送信モードを間欠モードに切り替え、前記検出部により前記光信号の受信が検出されたとき、前記送信モードを連続モードに切り替えるものであり、前記光送信部が間欠モードで送信する光信号は、「ＩＥＣ ６０８２５−１」又は「ＪＩＳ Ｃ ６８０２」の所定のクラスの安全基準を満たす所定の発光時間及び所定の周期時間で発光が繰り返し行われたパルス信号であって、前記所定の発光時間は、前記光送信部からの問い合わせ要求の周期より短い時間である信号伝送装置。
【発明の効果】
【００１３】
請求項１に係る信号伝送装置によれば、光受信部での光信号の検出結果に基づいて、光送信部における光信号の送信モードを切り替えることができる。
【００１４】
請求項１に係る信号伝送装置によれば、光受信部での光信号の受信が検出されなかったとき、光送信部の送信モードを間欠モードに切り替えることができる。
【００１５】
請求項１に係る信号伝送装置によれば、光受信部での光信号の受信が検出されたとき、光送信部の送信モードを連続モードに切り替えることができる。
【００１６】
請求項１に係る信号伝送装置によれば、光信号が外部に漏洩しても、所定のクラスの安全基準を満たすことができる。
【発明を実施するための最良の形態】
【００２０】
［実施の形態］
図１は、本発明の実施の形態に係る表示システムの一例を示す全体図である。この画像表示システム１００は、第１及び第２のホストコンピュータ４Ａ，４Ｂと、第１及び第２のホストコンピュータ４Ａ，４Ｂからの画像信号、音声信号及び制御信号に基づいて画像表示、音声出力を行う画像表示装置５と、第１及び第２のホストコンピュータ４Ａ，４Ｂにそれぞれ接続された送信モジュール（光送信部）２と、光ファイバ（光伝送路）１０及びメタルケーブル（電気伝送路）１１を介して送信モジュール２に接続されるとともに、画像表示装置５に接続された受信モジュール（光受信部）３とから構成されている。なお、送信モジュール２及び受信モジュール３は、信号伝送装置１を構成する。
【００２１】
画像表示システム１００の利用形態としては、例えば、駅、学校、病院等の施設において、第１及び第２のホストコンピュータ４Ａ，４Ｂと画像表示装置５とが距離の離れた場所に設置される。
【００２２】
第１のホストコンピュータ４Ａは、ＤＶＩコネクタ、ステレオミニジャック等の外部出力用のコネクタを有し、画像及び音声が記録された画像データを再生する画像再生プログラム等に従って動作することにより、画像信号及び音声信号を生成し、電気信号として外部に出力する。
【００２３】
第２のホストコンピュータ４Ｂは、例えば、Ｄ−Ｓｕｂ９ピンコネクタを有し、画像表示装置５を制御する遠隔操作プログラムに従って動作することにより、ユーザからの操作やユーザにより設定されたタイマ等に応じて、画像表示装置５の電源のオンオフの切り替え、又は画像表示装置５の動作状態の切り替え等を指示する制御信号を外部に出力する。なお、第１のホストコンピュータ４Ａが、第２のホストコンピュータ４Ｂの機能を兼ね備えて、制御信号を送信するようにしてもよい。
【００２４】
送信モジュール２は、第１のホストコンピュータ４ＡからＤＶＩケーブル１２Ａ及び音声ケーブル１３Ａを介して画像信号及び音声信号が入力され、第２のホストコンピュータ４Ｂから制御ケーブル１４Ａを介して制御信号が入力される。また、送信モジュール２は、画像信号を光信号に変換して、その光信号を光ファイバ１０を介して送信するとともに、音声信号及び制御信号に基づく電気信号をメタルケーブル１１を介して送信する。
【００２５】
受信モジュール３は、送信モジュール２から光ファイバ１０を介して光信号を受信するとともに、メタルケーブル１１を介して電気信号を受信する。また、受信モジュール３は、ＤＶＩケーブル１２Ｂ、音声ケーブル１３Ｂ及び制御ケーブル１４Ｂを介して画像表示装置５に接続され、その受信した光信号を変換した画像信号、電気信号に基づく音声信号及び制御信号を画像表示装置５に出力する。
【００２６】
外部電源装置６Ａ，６Ｂは、例えば、ＡＣアダプタであり、１００ＶのＡＣ電源から６ＶのＤＣ電源に変換し、そのＤＣ電源を送信モジュール２及び受信モジュール３にそれぞれ供給する。
【００２７】
光ファイバ１０は、光信号として、ＤＶＩ（Digital Visual Interface）の規格に基づくＲ，Ｇ，Ｂからなる３つのＲ，Ｇ，Ｂ信号と、クロック信号とを伝送するため、それらのビット数に合わせて４本具備される。光ファイバ１０は、例えば、コア径が５０μｍのマルチモード光ファイバ（Multi Mode Fiber）であり、１０ｍ以上の長さを有する。
【００２８】
メタルケーブル１１は、電気信号を送信モジュール２と受信モジュール３との間で双方向に伝送する電気伝送路であり、例えば、カテゴリー５のＵＴＰケーブルを用いることができる。
【００２９】
画像表示装置５は、ＤＶＩの規格に対応した、例えば、ＰＤＰ（Plasma Display Panel）、ＬＣＤ（Liquid Crystal Display）等からなる表示部５ａを備え、更にこの表示部５ａを制御する表示制御回路、音声増幅回路、スピーカ、及び電源回路（いずれも図示せず）を備えて構成されている。
【００３０】
（送信モジュールの構成）
図２は、送信モジュール２の概略構成例を示すブロック図である。この送信モジュール２は、ＤＶＩコネクタ２０Ａ、音声コネクタ２０Ｂ、ＲＳ２３２Ｃコネクタ２０Ｃ、電源部２１、電気／光変換部２２、ディスプレイ信号Ｉ／Ｆ部２３Ａ、音声信号Ｉ／Ｆ部２３Ｂ、制御信号Ｉ／Ｆ部２３Ｃ、符号化／復号化制御部２４、差動信号Ｉ／Ｆ部２５及び差動信号コネクタ２６を備える。
【００３１】
ＤＶＩコネクタ２０Ａ、音声コネクタ２０Ｂ及びＲＳ２３２Ｃコネクタ２０Ｃは、それぞれＤＶＩケーブル１２Ａ、音声ケーブル１３Ａ、制御ケーブル１４Ａに接続される。
【００３２】
ＤＶＩコネクタ２０Ａは、上述のＲ，Ｇ，Ｂ信号、クロック信号の他に、ＤＤＣ（Display Data Channel）  ５Ｖ信号、ＤＤＣ  ＣＬＫ（Clock）信号、ＤＤＣ  Ｄａｔａ信号及びＨＰＤ（Hot Plug Detect）信号が入力される複数のピンを有する。
【００３３】
なお、ＤＤＣ  ＣＬＫ信号及びＤＤＣ  Ｄａｔａ信号は、第１のホストコンピュータ４Ａが画像表示装置５で表示可能な解像度などのプロパティ情報を得るためのディスプレイ信号であり、ＤＤＣ  ５Ｖ信号とＨＰＤ信号は、第１のホストコンピュータ４Ａと画像表示装置５との接続状態を確認するための接続状態信号である。
【００３４】
音声コネクタ２０Ｂは、例えば、ステレオミニジャック等の形状を有し、右側音声用のピンＲと、左側音声用のピンＬとを備える。
【００３５】
ＲＳ２３２Ｃコネクタ２０Ｃは、例えば、Ｄ−Ｓｕｂ９ピンコネクタであり、ホストコンピュータ４Ａから画像表示装置５への下り方向の制御信号が入力されるピンＲｘＤと、画像表示装置５からホストコンピュータ４Ａへの上り方向の制御信号が出力されるピンＴｘＤと、グラウンド用のピンＧＮＤと、送信要求用のピンＲＴＳと、送信可能用のピンＣＴＳとを備える。本実施の形態では、ピンＲＴＳと、ピンＣＴＳとが接続されている。
【００３６】
電源部２１は、外部電源装置６Ａから送られるＤＣ電源を複数の電圧値の電圧に変換し、変換した電圧を送信モジュール２の各部の駆動電圧に合わせて供給する。
【００３７】
電気／光変換部２２は、Ｒ，Ｇ，Ｂ信号、クロック信号をそれぞれ波形整形するバッファ回路と、波形整形された信号をそれぞれ光信号として出力する、例えば、面発光型レーザ等の４つの発光素子と、４つの発光素子を駆動する駆動回路と、光ファイバ１０に接続される、例えば、ＬＣコネクタ、ＳＣコネクタ等の光コネクタと、光信号を出力する際の異なる２つの送信モードを切り替える切替制御部２２０とを備える。
【００３８】
切替制御部２２０は、受信モジュール３による光信号の検出結果に基づいて、光信号を連続的に送信する連続モードと、光信号を間欠的に送信する間欠モードとからなる異なる２つの送信モードを切り替える。すなわち、切替制御部２２０は、受信モジュール３により光信号の受信が検出されなかったとき、送信モードを間欠モードに切り替え、光信号の受信が検出されたとき、送信モードを連続モードに切り替える。
【００３９】
なお、間欠モードにより送信される光信号は、所定のクラスの安全基準が満たされるように、所定の発光時間で発光が行われ、その発光が周期時間で繰り返し行われたパルス信号である。また、この発光時間は、受信モジュール３にてその光信号を受信したことを検出可能であって、送信モジュール２からの問い合わせ要求の周期より短い時間である。安全基準としては、例えば、「ＪＩＳ  Ｃ  ６８０２」、「ＩＥＣ  ６０８２５−１」等に則り、例えば、光信号の発光時間は１０ｍｓｅｃであり、周期時間は１００ｍｓｅｃである。なお、本実施の形態では、所定の発光時間で発光が行われた光信号を間欠光信号という。
【００４０】
ディスプレイ信号Ｉ／Ｆ部２３Ａは、ＤＶＩコネクタ２０Ａと符号化／復号化制御部２４とに接続され、ＤＶＩコネクタ２０Ａから入力されるディスプレイ信号（ＤＤＣ  ＣＬＫ信号、ＤＤＣ  Ｄａｔａ信号）からディスプレイデータを取得し、そのディスプレイデータを符号化／復号化制御部２４に出力する。また、ディスプレイ信号Ｉ／Ｆ部２３Ａは、符号化／復号化制御部２４から入力されるディスプレイデータをディスプレイ信号としてＤＶＩコネクタ２０Ａに出力する。
【００４１】
音声信号Ｉ／Ｆ部２３Ｂは、音声コネクタ２０Ｂと符号化／復号化制御部２４とに接続され、音声コネクタ２０ＢのピンＲ，Ｌから入力されたアナログの音声信号をサンプリング周波数、例えば、４４．１ｋＨｚにより８ビットのデジタルの音声データに変換し、その音声データを符号化／復号化制御部２４に出力する。
【００４２】
制御信号Ｉ／Ｆ部２３Ｃは、ＲＳ２３２Ｃコネクタ２０Ｃと符号化／復号化制御部２４とに接続され、ＲＳ２３２Ｃコネクタ２０ＣのピンＲｘＤから入力される制御信号を符号化／復号化制御部２４に制御データとして出力する。また、符号化／復号化制御部２４から入力される制御データをピンＴｘＤに制御信号として出力する。
【００４３】
符号化／復号化制御部２４は、ディスプレイ信号Ｉ／Ｆ部２３Ａ、音声信号Ｉ／Ｆ部２３Ｂ及び制御信号Ｉ／Ｆ部２３Ｃからそれぞれ入力されたディスプレイデータ、音声データ、制御データを受信モジュール３側で識別可能なヘッダをそれぞれ付加してパケットに符号化する。また、符号化／復号化制御部２４は、受信モジュール３側から送信されたパケットを復号化することによりディスプレイデータ及び制御データを取得し、ディスプレイ信号Ｉ／Ｆ部２３Ａ及び制御信号Ｉ／Ｆ部２３Ｃにそれぞれ出力する。
【００４４】
送信モジュール２と受信モジュール３との間で送受信されるパケットには、切替制御部２２０から受信モジュール３に対して光信号を受信したか否かを問い合わせる問い合わせ要求と、その問い合わせ要求に対して、受信モジュール３が光信号を受信したことを応答する受光応答とが含まれる。
【００４５】
差動信号Ｉ／Ｆ部２５は、符号化／復号化制御部２４により符号化されたパケットを例えば、ＲＳ−４２２、ＲＳ４８５等の差動信号を用いたデータ伝送を行う。ここで、各信号の伝送に必要な帯域は、ディスプレイ信号は最大４００ｋｂｐｓ、制御信号は２０ｋｂｐｓ、音声信号は１．５Ｍｂｐｓ程度であるため、時分割多重を行うことにより、差動信号Ｉ／Ｆ部２５の伝送帯域は、例えば、２．４Ｍｂｐｓとすることができる。差動信号コネクタ２６は、ＲＪ４５コネクタ等の形状を有する。
【００４６】
（受信モジュールの構成）
図３は、受信モジュール３の概略構成例を示すブロック図である。この受信モジュール３は、ＤＶＩコネクタ３０Ａ、音声コネクタ３０Ｂ、ＲＳ２３２Ｃコネクタ３０Ｃ、電源部３１、光／電気変換部３２、ディスプレイ信号Ｉ／Ｆ部３３Ａ、音声信号Ｉ／Ｆ部３３Ｂ、制御信号Ｉ／Ｆ部３３Ｃ、符号化／復号化制御部３４、差動信号Ｉ／Ｆ部３５、差動信号及びコネクタ３６を備える。
【００４７】
ＤＶＩコネクタ３０Ａ、音声コネクタ３０Ｂ及びＲＳ２３２Ｃコネクタ３０Ｃは、それぞれＤＶＩケーブル１２Ｂ、音声ケーブル１３Ｂ及び制御ケーブル１４Ｂにそれぞれ接続される。なお、ＤＶＩコネクタ３０Ａ、音声コネクタ３０Ｂ及びＲＳ２３２Ｃコネクタ３０Ｃは、送信モジュール２のＤＶＩコネクタ２０Ａ、音声コネクタ２０Ｂ及びＲＳ２３２Ｃコネクタ２０Ｃと同様のピン構成を有する。
【００４８】
電源部３１は、外部電源装置６Ｂから送られるＤＣ電源を、複数の電圧値の電圧に変換し、変換した電圧を受信モジュール３の各部に合わせて供給する。
【００４９】
光／電気変換部３２は、光ファイバ１０に接続される光コネクタと、光コネクタを介して受信した４つの光信号を微小電流にそれぞれ変換する、例えば、フォトダイオード等の４つの受光素子と、４つの受光素子による微小電流を電圧に変換し、その電圧を増幅し、増幅したＲ，Ｇ，Ｂ信号、クロック信号をＤＶＩコネクタ３０Ａに出力する増幅回路と、受光素子により光信号を受信したことを検出する検出部３２０とを備える。
【００５０】
検出部３２０は、例えば、増幅回路により増幅したＲ，Ｇ，Ｂ信号、クロック信号の振幅を所定のしきい値と比較し、それらの振幅が所定のしきい値以上である場合に、光信号を受信したことを検出する。そして、検出部３２０は、光信号の受信を検出した場合には、符号化／復号化制御部３４に受光応答のパケットを送信するように指示する。
【００５１】
差動信号Ｉ／Ｆ部３５は、差動信号コネクタ３６を介して送信モジュール２により送信された差動電気信号からパケットを取り出して、そのパケットを符号化／復号化制御部３４に出力する。また、差動信号Ｉ／Ｆ部３５は、符号化／復号化制御部３４により符号化されたパケットを送信する。
【００５２】
ディスプレイ信号Ｉ／Ｆ部３３Ａは、ＤＶＩコネクタ３０Ａと符号化／復号化制御部３４に接続され、ＤＶＩコネクタ３０Ａから入力されるディスプレイ信号からディスプレイデータを取得し、そのディスプレイデータを符号化／復号化制御部３４に出力する。また、ディスプレイ信号Ｉ／Ｆ部３３Ａは、符号化／復号化制御部３４から入力されるディスプレイデータをディスプレイ信号としてＤＶＩコネクタ３０Ａに出力する。
【００５３】
符号化／復号化制御部３４は、ディスプレイ信号Ｉ／Ｆ部３３Ａ及び制御信号Ｉ／Ｆ部３３Ｃからそれぞれ入力されたディスプレイデータ及び制御データをパケットに順次符号化する。
【００５４】
ディスプレイ信号Ｉ／Ｆ部３３Ａは、ＤＶＩコネクタ３０Ａと符号化／復号化制御部３４に接続され、ＤＶＩコネクタ３０Ａから入力されるディスプレイ信号からディスプレイデータを取得し、そのディスプレイデータを符号化／復号化制御部３４に出力する。また、ディスプレイ信号Ｉ／Ｆ部３３Ａは、符号化／復号化制御部３４から入力されるディスプレイデータをディスプレイ信号としてＤＶＩコネクタ３０Ａに出力する。
【００５５】
音声信号Ｉ／Ｆ部３３Ｂは、音声コネクタ３０Ｂと符号化／復号化制御部３４に接続され、符号化／復号化制御部３４から入力された音声データをアナログの音声信号に変換し、その音声信号を音声コネクタ３０ＢのピンＲ，Ｌに出力する。
【００５６】
制御信号Ｉ／Ｆ部３３Ｃは、ＲＳ２３２Ｃコネクタ３０Ｃと符号化／復号化制御部３４に接続され、ＲＳ２３２Ｃコネクタ３０ＣのピンＲｘＤから入力される制御信号を符号化／復号化制御部３４に出力する。また、符号化／復号化制御部３４から入力される制御データをピンＴｘＤに出力する。
【００５７】
（実施の形態の動作）
次に、画像表示システム１００の動作について以下に説明する。
【００５８】
まず、ユーザは、図１に例示するように、第１及び第２のホストコンピュータ４Ａ，４Ｂ、送信モジュール２、受信モジュール３並びに画像表示装置５を各ケーブルによりそれぞれ接続する。さらに、外部電源装置６Ａ，６Ｂを送信モジュール２及び受信モジュール３にそれぞれ接続するとともに、ＡＣ１００Ｖに接続する。
【００５９】
その後、ユーザは、第１及び第２のホストコンピュータ４Ａ，４Ｂと画像表示装置５との電源をオンにする。そして、第１のホストコンピュータ４Ａにより、画像再生プログラムを起動して画像データの再生を指示すると、第１のホストコンピュータ４Ａは、画像データに基づく画像信号及び音声信号を生成し、ＤＶＩケーブル１２Ａ及び音声ケーブル１３Ａを介して送信モジュール２にそれぞれ出力する。
【００６０】
第１のホストコンピュータ４Ａから出力された画像信号は、ＤＶＩコネクタ２０Ａを介して送信モジュール２に入力される。また、第１のホストコンピュータ４Ａから出力された音声信号は、音声コネクタ２０Ｂを介して送信モジュール２に入力される。
【００６１】
次に、送信モジュール２の電気／光変換部２２は、ＤＶＩコネクタ２０Ａに入力された画像信号のうちＲ，Ｇ，Ｂ信号、クロック信号に基づいて、駆動回路により４つの発光素子をそれぞれ駆動して、４つの光信号を光コネクタを介して光ファイバ１０に送信する。このとき、電気／光変換部２２は、切替制御部２２０の制御により連続モードにて光信号を送信する。
【００６２】
そして、ディスプレイ信号Ｉ／Ｆ部２３Ａは、ＤＶＩコネクタ２０Ａに入力された画像信号のうちディスプレイ信号に基づいて、ディスプレイデータを取得し、符号化／復号化制御部２４に出力する。
【００６３】
また、音声信号Ｉ／Ｆ部２３Ｂは、音声コネクタ２０Ｂに入力された音声信号をサンプリング周波数により８ビットのデジタルの音声データに変換し、その音声データを符号化／復号化制御部２４に出力する。
【００６４】
次に、符号化／復号化制御部２４は、音声信号Ｉ／Ｆ部２３Ｂにより出力されたディスプレイデータ及び音声データを、データの種類に応じたヘッダを付加したパケットに符号化し、そのパケットを差動信号Ｉ／Ｆ部２５及び差動信号コネクタ２６を介して、メタルケーブル１１に出力する。
【００６５】
次に、受信モジュール３の光／電気変換部３２は、光ファイバ１０から入光した光信号を、受光素子により微小の電気信号に変換し、さらに増幅回路で増幅したＲ，Ｇ，Ｂ信号、クロック信号をＤＶＩコネクタ３０Ａに出力する。
【００６６】
また、符号化／復号化制御部３４は、メタルケーブル１１、差動信号コネクタ３６及び差動信号Ｉ／Ｆ部３５を介して入力されたパケットを復号化することにより、ディスプレイデータ及び音声データを取得する。そのディスプレイデータは、ディスプレイ信号Ｉ／Ｆ部３３Ａを介してディスプレイ信号としてＤＶＩコネクタ３０Ａに出力され、その音声データは、音声データＩ／Ｆ部３３Ｂを介して音声信号として音声コネクタ３０Ｂに出力される。
【００６７】
次に、画像信号及びディスプレイ信号は、ＤＶＩケーブル１２Ｂを介して画像表示装置５に送信され、音声信号は、音声ケーブル１３Ｂを介して画像表示装置５に送信される。
【００６８】
画像表示装置５は、送信された画像信号及びディスプレイ信号に基づいて、表示制御回路により画像処理を行って表示部５ａに画像を表示するともに、音声増幅回路により音声信号を増幅してスピーカから音声を出力する。
【００６９】
（連続モードから間欠モードへの切替処理）
次に、連続モードから間欠モードへの切替処理について、図４のフローチャートを参照して説明する。
【００７０】
まず、上記のように画像信号に基づく光信号が、送信モジュール２から受信モジュール３に連続モードで送信されている間（Ｓ１０）、送信モジュール２は、送信した光信号が受信モジュール３により受信された旨を示す受光応答の受信待ち状態となる（Ｓ１１）。
【００７１】
一方、受信モジュール３において、光／電気変換部３２の検出部３２０は、送信モジュール２からの光信号の受信を検出することにより、送信モジュール２から光信号を受信しているか否かを定期的に確認する受信確認を行う（Ｓ２０）。
【００７２】
そして、検出部３２０が、光信号の受信を検出した場合には（Ｓ２０：Ｙｅｓ）、符号化／復号化制御部３４により受光応答のパケットをメタルケーブル１１等を介して送信モジュール２に送信する（Ｓ２１）。
【００７３】
また、検出部３２０が、光信号の受信を検出しなかった場合には（Ｓ２０：Ｎｏ）、受信モジュール３は、間欠光信号の受信待ち状態に移行する（Ｓ２２）。なお、光信号の受信が検出部３２０により検出されなかった原因としては、例えば、信号伝送装置１の設置、点検、交換等の作業により光ファイバ１０及び光コネクタ等が一時的に切断された場合等が挙げられる。
【００７４】
一方、上述のステップＳ１１により、受光応答の受信待ち状態となっている送信モジュール２において、符号化／復号化制御部２４が受信モジュール３から受光応答のパケットを受信すると（Ｓ１１：Ｙｅｓ）、符号化／復号化制御部２４は、その旨を電気／光変換部２２に通知する。
【００７５】
そして、その通知を受け付けた電気／光変換部２２の切替制御部２２０は、連続モードでの光信号の送信を継続し（Ｓ１０）、再び受光応答の受信待ち状態に移る（Ｓ１１）。
【００７６】
また、符号化／復号化制御部２４が、所定時間が経過しても受信モジュール３から受光応答のパケットを受信しなかった場合には（Ｓ１１：Ｎｏ）、その旨を電気／光変換部２２に通知し、電気／光変換部２２の切替制御部２２０は、間欠モードでの光信号の送信に切り替える（Ｓ１２）。
【００７７】
なお、送信モジュール２は、切替制御部２２０により送信モードを切り替えた旨を第１又は第２のホストコンピュータ４Ａ，４Ｂに通知し、第１又は第２のホストコンピュータ４Ａ，４Ｂは、自らの有する表示部に、その旨を示すメッセージを表示するようにしてもよい。
【００７８】
（間欠モードから連続モードへの切替処理）
次に、間欠モードから連続モードへの切替処理について、図５のフローチャートを参照して説明する。
【００７９】
間欠モードに切り替えられた送信モジュール２において、電気／光変換部２２は、間欠光信号を送信する（Ｓ３０）。
【００８０】
次に、電気／光変換部２２の切替制御部２２０は、受信モジュール３に間欠光信号を受信したか否かを問い合わせる問い合わせ要求のパケットを送信するように符号化／復号化制御部２４に指示すると、符号化／復号化制御部２４は、問い合わせ要求のパケットをメタルケーブル１１等を介して受信モジュール３に送信する（Ｓ３１）。そして、切替制御部２２０は、送信モジュール２からの受光応答の受信待ち状態となる（Ｓ３２）。
【００８１】
一方、間欠光信号の受信待ち状態に移行した受信モジュール３において、符号化／復号化制御部３４は、送信モジュール２から問い合わせ要求のパケットを受信すると（Ｓ４０：Ｙｅｓ）、その旨を光／電気変換部３２に通知する。
【００８２】
そして、その通知を受け付けた光／電気変換部３２の検出部３２０は、送信モジュール２から間欠光信号を受信したか否かを判定する（Ｓ４１）。
【００８３】
次に、検出部３２０が、間欠光信号の受信を検出した場合には（Ｓ４１：Ｙｅｓ）、符号化／復号化制御部３４は、受光応答のパケットをメタルケーブル１１等を介して送信モジュール２に送信し（Ｓ４２）、受信モジュール３は、連続モードでの光信号の受信確認に移行する（Ｓ４３）。
【００８４】
また、検出部３２０が、間欠光信号の受信を検出しなかった場合には（Ｓ４１：Ｎｏ）、符号化／復号化制御部２４は、非受光応答のパケットを送信モジュール２に送信する（Ｓ４４）。
【００８５】
一方、上述のステップＳ３１において、受光応答の受信待ち状態の送信モジュール２において、符号化／復号化制御部２４が受信モジュール３から受光応答のパケットを受信すると（Ｓ３２：Ｙｅｓ）、符号化／復号化制御部２４は、その旨を電気／光変換部２２に通知する。そして、切替制御部２２０は、連続モードでの光信号の送信に切り替える（Ｓ３３）。
【００８６】
また、符号化／復号化制御部２４が受光応答のパケットを受信しなかった、すなわち、
非受光応答のパケットを受信した、又は所定時間が経過しても受光応答及び非受光応答のどちらのパケットも受信しなかった場合には（Ｓ３２：Ｎｏ）、光／電気変換部３２は、周期時間だけ待機して（Ｓ３４）、間欠光信号の送信（Ｓ３０）に戻る。
【００８７】
以上のようにして、送信モジュール２の切替制御部２２０は、受信モジュール３の検出部３２０からの検出結果に基づいて送信モードを切り替え、検出部３２０により光信号の受信が検出された場合には、連続モードにより光信号が送信され、検出部３２０により光信号の受信が検出されなかった場合には、間欠モードにより光信号が送信される。
【００８８】
［他の実施の形態］
なお、本発明は、上記実施の形態に限定されず、その要旨を変更しない範囲内で種々変形実施が可能である。例えば、上記実施の形態では、異なる２つの送信モードを連続モード及び間欠モードとしたが、第１の間欠モードと、第１の間欠モードより発光間隔が長い第２の間欠モードとしてもよいし、発光強度や波長等の光信号を発光する際のパラメータを、第１の送信モードと第２の送信モードとで変更するようにしてもよい。また、２つの送信モード以外に他の送信モードがあってもよい。例えば、連続モード及び間欠モードに対して上記の発光間隔やパラメータ等を組み合わせて複数の送信モードを用意し、それら送信モードを切り替えるようにしてもよい。
【００８９】
また、上記実施の形態では、ホストコンピュータを画像および音声生成手段として１台、制御信号生成手段として１台使用しているが、これらは1台にまとめてもよいし、画像・音声・制御用に個別に用意しても良く、さらにコンピュータではなく一般的なＡＶ機器であってもよい。
【００９０】
また、上記実施の形態の構成要素を発明の要旨を変更しない範囲内で任意に組み合わせることができる。
【図面の簡単な説明】
【００９１】
【図１】図１は、本発明の実施の形態に係る画像表示システムの一例を示す全体図である。
【図２】図２は、送信モジュールの概略構成例を示すブロック図である。
【図３】図３は、受信モジュールの概略構成例を示すブロック図である。
【図４】図４は、連続モードから間欠モードへの切替処理の一例を示すフローチャートである。
【図５】図５は、間欠モードから連続モードへの切替処理の一例を示すフローチャートである。
【符号の説明】
【００９２】
１…信号伝送装置、２…送信モジュール、３…受信モジュール、４Ａ，４Ｂ…ホストコンピュータ、５…画像表示装置、５ａ…表示部、６Ａ，６Ｂ…外部電源装置、１０…光ファイバ、１１…メタルケーブル、１２Ａ，１２Ｂ…ＤＶＩケーブル、１３Ａ，１３Ｂ…音声ケーブル、１４Ａ，１４Ｂ…制御ケーブル、２０Ａ…ＤＶＩコネクタ、２０Ｂ…音声コネクタ、２０Ｃ…ＲＳ２３２Ｃコネクタ、２１…電源部、２２…電気／光変換部、２３Ａ…ディスプレイ信号Ｉ／Ｆ部、２３Ｂ…音声信号Ｉ／Ｆ部、２３Ｃ…制御信号Ｉ／Ｆ部、２４…符号化／復号化制御部、２５…差動信号Ｉ／Ｆ部、２６…差動信号コネクタ、３０Ａ…ＤＶＩコネクタ、３０Ｂ…音声コネクタ、３０Ｃ…ＲＳ２３２Ｃコネクタ、３１…電源部、３２…光／電気変換部、３３Ａ…ディスプレイ信号Ｉ／Ｆ部、３３Ｂ…音声信号Ｉ／Ｆ部、３３Ｃ…制御信号Ｉ／Ｆ部、３４…符号化／復号化制御部、３５…差動信号Ｉ／Ｆ部、３６…差動信号コネクタ、１００…画像表示システム、２２０…切替制御部、３２０…検出部
【図１】
0004978499.tif 000002
【図２】
0004978499.tif 000003
【図３】
0004978499.tif 000004
【図４】
0004978499.tif 000005
【図５】
0004978499.tif 000006